(57)【要約】【課題】  ユーザが、測定のためのハード及びソフトウェアの複雑な組合せについての深い認識が無くとも、容易に操作できる通信試験装置及び方法を提供することある。【解決手段】  ユーザインタフェース手段１００が、被試験通信機器を示す端末アイコン群と、通信方式の種類を示すシステムアイコン群と、サービスの種類を示すサービスアイコン群とを生成して表示部に表示するとともに、被試験通信機器の種類、通信方式の種類及びサービスの種類の組合せによって試験可能な組合せに相当するアイコンを結線して表示し、かつアイコンを選択可能に表示部に表示しアイコンの組合せが選択された場合、測定制御手段１３０に対して、選択されたアイコンの組合せに該当する各アイコンを基に試験させる構成とした。【選択図】      図１
2005348219.tif 000002
【特許請求の範囲】
【請求項１】
通信方式に応じた通信網上で被試験通信機器に提供されるサービスの試験を擬似的に行う通信試験装置であって、
表示部（１０２）及び操作部（１０１）を有し、前記被試験通信機器を示す少なくとも１つのアイコンを有する端末アイコン群と、通信方式の種類を示す少なくとも１つのアイコンを有するシステムアイコン群と、前記サービスの種類を示す少なくとも１つのアイコンを有するサービスアイコン群とを生成して前記表示部に表示するとともに、さらに前記アイコン群のうちの１つのアイコン群に含まれるアイコンと、前記１つのアイコン群と異なる前記アイコン群に含まれるアイコンとの間を前記被試験通信機器の種類、通信方式の種類及びサービスの種類の組合せによって試験可能な組合せに結線して表示し、前記操作部により該アイコン又は結線の組合せを選択された場合は、選択された該アイコンの組合せを出力するユーザインタフェース手段（１００）と、該ユーザインタフェース手段から出力された前記選択された組合せに該当する各アイコンの情報を基に、当該被試験通信機器について、前記通信方式上で前記サービスを擬似的に実施させて試験する測定制御手段（１３０）とを備えたことを特徴とする通信試験装置。
【請求項２】
前記試験を行うために、複数種類の被試験通信機器の情報要素、複数種類の前記通信方式に応じたハードウェアを含む機能要素及び複数の前記サービスを提供するための情報要素の、各要素が実装可能にされており、実装された各要素の識別情報を管理する管理手段（１２０，１３３）と、
前記管理手段に管理されている実装された各要素の識別情報を基に、前記試験可能な前記各要素の組合せを決定する試験環境決定手段（１４０）とを備えたことを特徴とする請求項１に記載の通信試験装置。
【請求項３】
接続された前記被試験通信機器の種類を、前記ユーザインタフェースの前記操作部により入力可能とされ、入力された前記被試験通信機器の種類を前記管理手段に記憶させることによって、前記被試験通信機器に対応する要素を実装状態とすることを特徴とする請求項２に記載の通信試験装置。
【請求項４】
前記ユーザインタフェース手段は、接続される前記被試験通信機器の種類に対応したＲＦインタフェースを表す少なくとも１つのアイコンを有するＲＦアイコン群を生成し、前記端末アイコン群、前記ＲＦアイコン群、前記システムアイコン群及び前記サービスアイコン群の順に並べて前記表示部に表示し、さらに前記被試験通信機器、前記ＲＦインタフェース、前記通信方式及び前記サービスの組合せによって試験可能な組合せに相当する各アイコンを各アイコン群から抽出して結線表示し、
前記測定制御手段は、該ユーザインタフェース手段から入力された前記選択された組合せに該当する各アイコンの情報を基に、当該被試験通信機器について、前記ＲＦインタフェースを通して前記通信方式上で前記サービスを擬似的に実施させて試験することを特徴とする請求項１に記載の通信試験装置。
【請求項５】
前記ユーザインタフェース手段は、前記選択されたアイコンを結ぶ結線又は前記選択された結線を、選択されていない結線に対して識別可能に表示することを特徴とする請求項１〜４のいずれかに記載の通信試験装置。
【請求項６】
前記測定制御手段は、前記ユーザインタフェース手段が出力した前記選択されたアイコンの組合わせに応じて各アイコンに係る前記要素を実行するためのパラメータを決定する手段を備え、該決定されたパラメータで当該被試験通信機器を試験することを特徴とする請求項１〜５のいずれかに記載の通信試験装置。
【請求項７】
前記ユーザインタフェース手段は、前記表示部に結線して表示された各アイコンの中から、所定の手順で選択されることにより、該所定の手順によって選択されたアイコンに係る前記要素を実行するためのパラメータを入力設定するための設定画面を表示し、前記操作部によって該パラメータが入力されたときは、該入力されたパラメータを前記測定制御手段に送って、該入力されたパラメータで前記試験を行わせる入力設定部（１０３ｂ）を備えたことを特徴とする請求項１〜６のいずれかに記載の通信試験装置。
【請求項８】
前記ユーザインタフェース手段は、前記表示部に結線して表示された各アイコンの中から前記操作部により前記端末アイコン群の１つのアイコンと前記サービスアイコン群の１つのアイコンとが選択された場合に、これら選択された２つのアイコンの組合せを出力し、
前記測定制御手段は、該２つのアイコンを基に、該２つのアイコンが属するアイコン群以外の他のアイコン群のアイコンを決定する試験制御手段（１３１）を備え、該選択された２つのアイコン及び該決定したアイコンの情報とから、当該被試験通信機器について試験をすることを特徴とする請求項１〜７のいずれかに記載の通信試験装置。
【請求項９】
通信方式に応じた通信網上で被試験通信機器に提供されるアプリケーションの試験を擬似的に行う通信試験装置であって、
前記動作試験を行うために、実装可能な要素である複数種類の被試験通信機器の情報要素、複数種類の前記通信方式に応じたハードウェアを含む機能要素及び前記アプリケーションの動作によって提供される複数種類のサービスを提供するための情報要素とから、前記実装された各要素の識別情報を管理する管理手段（１２０，１３３）と、
表示部（１０２）及び操作部（１０１）を有し、前記管理手段に実装されている各要素の識別情報に基づいて、前記被試験通信機器を示す少なくとも１つのアイコンを有する端末アイコン群と、通信方式の種類を示す少なくとも１つのアイコンを有するシステムアイコン群と、サービスの種類を示す少なくとも１つのアイコンを有するサービスアイコン群とを生成して前記表示部に表示し、さらに前記被試験通信機器の種類、通信方式の種類及びサービスの種類の組合せによって試験可能な組合せに相当する前記各アイコン群のいずれかの前記アイコンを結線して表示し、かつ該アイコン又は結線のいずれかを選択可能に前記表示部に表示するとともに、前記操作部により選択された場合は、選択された組合せを、前記試験を行わせるために出力するユーザインタフェース手段（１００）と、該ユーザインタフェース手段から出力された前記選択された組合せに該当する各アイコンの情報を基に、当該被試験通信機器について、前記通信方式上で前記サービスを擬似的に実施させて試験する測定制御手段（１３０）とを備えたことを特徴とする通信試験装置。
【請求項１０】
通信方式に応じた通信網上で被試験通信機器に提供されるサービスの試験を擬似的に行う通信試験方法であって、
前記被試験通信機器を示す少なくとも１つのアイコンを有する端末アイコン群と、前記通信方式の種類を示す少なくとも１つのアイコンを有するシステムアイコン群と、前記サービスの種類を示す少なくとも１つのアイコンを有するサービスアイコン群とを生成して表示部に表示する生成表示段階と、
前記被試験通信機器の種類、通信方式の種類及びサービスの種類の組合せによって試験可能な組合せに相当する前記各アイコン群のいずれかのアイコンを結線して表示し、かつ該アイコン又は該結線のいずれかを選択可能に前記表示部に表示する選択表示段階と、
操作部により該アイコン又は該結線のいずれかが選択されることによってアイコンの組合せが選択された場合、選択されたアイコンの組合せに該当する各アイコンを基に、当該被試験通信機器について、当該通信方式上で当該サービスを擬似的に実施させて試験する測定制御段階とを有することを特徴とする通信試験方法。
【請求項１１】
前記試験を行うために、複数種類の被試験通信機器の情報要素、複数種類の前記通信方式に応じたハードウェアを含む機能要素及び複数の前記サービスを提供するための情報要素の、各要素のうち実装された各要素の識別情報を管理する管理段階と、
前記管理段階に実装されている各要素の識別情報を基に、所望の被試験通信機器に対する試験可能な前記各要素の組合せを決定する試験環境決定段階と、を含み、
前記生成表示段階は、前記管理段階で実装されている各要素の識別情報を基に、前記被試験通信機器の種類に応じた端末アイコン群と、前記通信方式の種類に対応したシステムアイコン群と、前記サービスの種類を示すサービスアイコン群とを生成して表示部に表示し、
前記選択表示段階は、前記試験環境決定段階で決定された試験可能な各要素の組合せに対応する各アイコン群のいずれかのアイコンを結線して表示し、かつ該アイコン又は結線のいずれかを選択可能に前記表示部に表示することを特徴とする請求項１０に記載の通信試験方法。
【発明の詳細な説明】
【技術分野】
【０００１】
本発明は、各種通信方式に沿った無線通信端末機器によって提供されるサービスの試験を行うための通信試験装置及びその方法に係る。各通信方式として、例えば、Ｗ−ＣＤＭＡ、ｃｄｍａ２０００、ＧＳＭ等の任意の通信方式を採用した無線通信端末機器があり、その各無線通信端末機器に提供されるサービスとしては、メール、インターネットとの接続、ｉモード、音声通話、エマージェンシーコール等がある。特に、本発明は、この無線通信端末機器に提供されるアプリケーションによるサービスを、擬似的な基地局として動作し試験する通信試験装置であって、通信方式によって異なるハードウェアの要素や、それらのハードウェアを通信方式に応じて制御する情報及びサービスを提供するための情報（ソフトウェアの要素）等を実装可能にし、実装された各要素を基に、試験対象である各無線通信端末機器（以下、「被試験通信機器」と言う。）に対応して各要素の組合せを視覚的に認識しつつ操作することによって、容易に試験ができるようにした技術に関する。
【背景技術】
【０００２】
一般的に利用されている携帯電話等の無線通信端末機器における通信方式は、Ｗ−ＣＤＭＡ、ｃｄｍａ２０００、ＧＳＭ等の各種があり、無線通信端末機器によっては、例えば、Ｗ−ＣＤＭＡ及びＧＳＭの異種の通信方式を切り替えて使用可能にされている無線通信端末機器がある。このような被試験通信機器を試験するためには、被試験通信機器と交信するための、復調、変調等を含む処理を行うデータ処理ユニット、或いはデータ処理ユニットと被試験通信機器との間を搬送波で接続するためのＲＦインタフェースユニット等のハードウェア要素を準備、又は選択する必要がある。
【０００３】
また、上記の各通信方式は、所定の規則で規定された手順で動作することが決められているが、同じ通信方式であっても、個々の通信網で被試験通信機器や、その被試験通信機器に提供されるサービスによって、試験の手順（通信の手順も含み、以下「シナリオ」と言う。）が異なっており、各種の試験を行うためには、数十から数千にもなる数多くのシナリオ（ソフトウェアの要素）を準備し、又は選択する必要がある。以下、ハードウェアの要素、やソフトウェアの要素を「リソース」ということがある。
【０００４】
試験内容における機能的な事項は、試験に必要なソフトウェアやハードウェアの各要素を装着・選択することで達成することが多いが、さらに周波数、レベル等の通信条件（パラメータ）を含む、各種のパラメータを設定して動作させる必要がある。
【０００５】
上記のような各無線通信端末機器を試験するにあたり、無線通信端末機器メーカにとっては、各通信方式、各試験内容をできるだけ一つの試験装置で共通に試験できることが好ましいし、通信試験装置をメーカに供給する通信機器試験装置メーカにとっても、その期待に沿うことが好ましい。しかしながら、このように多項目に亘る試験は、操作が非常に複雑になりがちである。この操作を支援しようとする技術について、特許文献１に記載の技術がある。
【０００６】
特許文献１に記載の発明は、試験の目的やゴールのアイコンを表示し、その選択を行うことによって操作を開始できるものである。例えば、ユーザが、「試験ゴール」アイコンを指定し、次に表示される「試験要素名」アイコンや「試験項目」アイコンを選択して「試験ゴール」アイコンにドラッグして表示上の所定領域（ワークスペース）にドロップすることによって決定し、同様に、さらに次に表示される「試験条件ファイル名」を選択して決定していく。このようにして選択し決定されたアイコンが結線され、該当する試験の処理が実行される。
【０００７】
特許文献１の技術は、試験ゴールから所定の操作案内により所定の操作設定がＧＵＩでできるという点で、多項目の試験に対応できるが、やはり細部を設定するときの要件が多いので、例えば、ユーザは、「試験要素名」「試験項目」「試験条件ファイル名」等の違いを認識して選択することが必要であり、さらに、リソースに対しても深い知識がないと設定が困難であろうと考えられる。
【０００８】
操作を案内する方法として、例えば、通信試験分野のものではないが、特許文献２に記載の技術が公開されている。特許文献２は、複数のソフトウェアモジュールによりそれぞれ異なる動作を実行する処理システムの操作手順を案内するもので、複数のソフトウェアモジュールを取得して、実行すべき順をアイコン等を使用して、表示することで操作を案内するものと考えられる。
【０００９】
特許文献２の技術は、例えば、課金と言う作業は必ず行えるものであって、その課金の仕方、作業手順を案内しているのであって、通信試験装置を前にしてユーザがとまどう問題、例えば、リソースそのものがどのようになっているか？それによって、どのような試験が可能か？所望している試験は可能か？所望する試験が現リソースでできない場合、不足リソースは何か？どのように通信条件を設定すべきか？等々に解決を与える内容になっていない。
【００１０】
【特許文献１】特開平１１−１１８８８４号公報（請求項１、請求項５、段落〔００２４〕、〔０１８４〕―〔０２００〕、図1、図３）
【特許文献２】特開２０００−１８１５９４号公報（請求項１、段落〔００２０〕−〔００２６〕、図１４、図１５）
【発明の開示】
【発明が解決しようとする課題】
【００１１】
本発明は、上記問題点を解決するものであって、ユーザは、通信試験を行うときは、被試験通信機器の概要とともに、それを試験目的とする試験項目（試験内容或いは試験仕様）は知っていることが多いので、それに着眼して、ユーザが、試験のためのハードウェア及びソフトウェアの要素（リソース）の複雑な組合せについての深い認識が無くとも、上記試験項目を頼りに、容易に操作できる通信試験装置及び方法を提供することが目的である。
【課題を解決するための手段】
【００１２】
上記目的を達成するため、本発明は、ユーザが試験を意図するにあたって当然知っている事項に分類（通信試験装置のリソースを意識しない分類）し、例えば、被通信試験機器群、通信方式（通信システム）群、試験対象のサービス群に分類し、その分類に対応するアイコンを生成してユーザに表示提供するとともに、内部的には収容されているリソースを検知して上記アイコン群に張り付けておいて、ユーザに対して試験を実施できるアイコンの組合せを、試験可能な全体マップとして一目して認識可能、かつ選択可能に結線表示するようにした。そうすることによって、ユーザが意図する試験が可能かどうか確認でき、全体マップから試験を意図するところを選択しやすい構成とした。また、実施可能な結線上のアイコンを選択する（例えば、マウスで右クリックする）と、アイコンに対応するパラメータ設定画面を開くようにして、そのパラメータ設定画面にユーザがユーザ仕様に応じたパラメータ（例えば、パラメータとしては、ＲＦインタフェースに対する周波数、レベル）を入力することにより、収容されているリソースがそのパラメータで試験を制御、実施できる構成とした。
【００１３】
ここで、アイコンとは、装置内部で、定義されている事項又は所定のものに対応づけられている事項を、表示部等の画面上で表象する画像であって、画面上で操作手段によって選択可能にされているものを言う。その画像は絵画的表現であるか文字的表現であるかを問わない、また、絵画的であれ文字的であれ、それらの表現は、内部での定義、対応付けを意味する場合もあれば、意味しない場合もあり、その画像自体が意味するものと、内部の定義や対応付けとが一致するとは限らない。
【００１４】
パラメータとは、被試験通信機器を試験を実行するときに被試験通信機器毎或いは試験項目毎に設定する条件であって、例えば周波数及びレベル等の通信条件、或いは通信や試験の手順（シナリオ）の実行時の条件等がある。いわば、試験実行上、変数として扱われる情報である。
【００１５】
上記課題を解決するため、具体的に、請求項１に記載の発明は、通信方式に応じた通信網上で被試験通信機器に提供されるサービスの試験を擬似的に行う通信試験装置であって、
表示部及び操作部を有し、前記被試験通信機器を示す少なくとも１つのアイコンを有する端末アイコン群と、通信方式の種類を示す少なくとも１つのアイコンを有するシステムアイコン群と、前記サービスの種類を示す少なくとも１つのアイコンを有するサービスアイコン群とを生成して前記表示部に表示するとともに、さらに前記アイコン群のうちの１つのアイコン群に含まれるアイコンと、前記１つのアイコン群と異なる前記アイコン群に含まれるアイコンとの間を前記被試験通信機器の種類、通信方式の種類及びサービスの種類の組合せによって試験可能な組合せに結線して表示し、前記操作部により該アイコン又は結線の組合せを選択された場合は、選択された該アイコンと結線の組合せを出力するユーザインタフェース手段と、該ユーザインタフェース手段から出力された前記選択された組合せに該当する各アイコンの情報を基に、当該被試験通信機器について、前記通信方式上で前記サービスを擬似的に実施させて試験する測定制御手段とを備えた。
【００１６】
請求項２に記載の発明は、請求項１記載の発明において、前記試験を行うために、複数種類の被試験通信機器の情報要素、複数種類の前記通信方式に応じたハードウェアを含む機能要素及び複数の前記サービスを提供するための情報要素の、各要素が実装可能にされており、実装された各要素の識別情報を管理する管理手段と、
前記管理手段に管理されている実装された各要素の識別情報を基に、前記試験可能な前記各要素の組合せを決定する試験環境決定手段とを備えた。
【００１７】
請求項３に記載の発明は、請求項２記載の発明において、接続された前記被試験通信機器の種類を、前記ユーザインタフェースの前記操作部により入力可能とされ、入力された前記被試験通信機器の種類を前記管理手段に記憶させることによって、前記被試験通信機器に対応する要素を実装状態とする構成とした。
【００１８】
請求項４に記載の発明は、請求項１記載の発明において、前記ユーザインタフェース手段は、接続される前記被試験通信機器の種類に対応したＲＦインタフェースを表す少なくとも１つのアイコンを有するＲＦアイコン群を生成し、前記端末アイコン群、前記ＲＦアイコン群、前記システムアイコン群及び前記サービスアイコン群の順に並べて前記表示部に表示し、さらに前記被試験通信機器、前記ＲＦインタフェース、前記通信方式及び前記サービスの組合せによって試験可能な組合せに相当する各アイコンを各アイコン群から抽出して結線表示し、
前記測定制御手段は、該ユーザインタフェース手段から入力された前記選択された組合せに該当する各アイコンの情報を基に、当該被試験通信機器について、前記ＲＦインタフェースを通して前記通信方式上で前記サービスを擬似的に実施させて試験する構成とした。
【００１９】
請求項５に記載の発明は、請求項１〜４のいずれかに記載の発明において、前記ユーザインタフェース手段は、前記選択されたアイコンを結ぶ結線又は前記選択された結線を、選択されていない結線に対して識別可能に表示する構成とした。
【００２０】
請求項６に記載の発明は、請求項１〜５のいずれかに記載の発明において、前記測定制御手段は、前記ユーザインタフェース手段が出力した前記選択されたアイコンの組合わせに応じて各アイコンに係る前記要素を実行するためのパラメータを決定する手段を備え、該決定されたパラメータで当該被試験通信機器を試験する構成とした。
【００２１】
請求項７に記載の発明は、請求項１〜６のいずれかに記載の発明において、前記ユーザインタフェース手段は、前記表示部に結線して表示された各アイコンの中から、所定の手順で選択されることにより、該所定の手順によって選択されたアイコンに係る前記要素を実行するためのパラメータを入力設定するための設定画面を表示し、前記操作部によって該パラメータが入力されたときは、該入力されたパラメータを前記測定制御手段に送って、該入力されたパラメータで前記試験を行わせる入力設定部を備えた。
【００２２】
請求項８に記載の発明は、請求項１〜７のいずれかに記載の発明において、前記ユーザインタフェース手段は、前記表示部に結線して表示された各アイコンの中から前記操作部により前記端末アイコン群の１つのアイコンと前記サービスアイコン群の１つのアイコンとが選択された場合に、これら選択された２つのアイコンの組合せを出力し、
前記測定制御手段は、該２つのアイコンを基に、該２つのアイコンが属するアイコン群以外の他のアイコン群のアイコンを決定する試験制御手段を備え、該選択された２つのアイコン及び該決定したアイコンの情報とから、当該被試験通信機器について試験をする構成とした。
【００２３】
上記課題を解決するため、請求項９に記載の発明は、通信方式に応じた通信網上で被試験通信機器に提供されるアプリケーションの試験を擬似的に行う通信試験装置であって、
前記動作試験を行うために、実装可能な要素である複数種類の被試験通信機器の情報要素、複数種類の前記通信方式に応じたハードウェアを含む機能要素及び前記アプリケーションの動作によって提供される複数種類のサービスを提供するための情報要素とから、前記実装された各要素の識別情報を管理する管理手段と、
表示部及び操作部を有し、前記管理手段に実装されている各要素の識別情報に基づいて、前記被試験通信機器を示す少なくとも１つのアイコンを有する端末アイコン群と、通信方式の種類を示す少なくとも１つのアイコンを有するシステムアイコン群と、サービスの種類を示す少なくとも１つのアイコンを有するサービスアイコン群とを生成して前記表示部に表示し、さらに前記被試験通信機器の種類、通信方式の種類及びサービスの種類の組合せによって試験可能な組合せに相当する前記各アイコン群のいずれかの前記アイコンを結線して表示し、かつ該アイコン又は結線のいずれかを選択可能に前記表示部に表示するとともに、前記操作部により選択された場合は、選択された組合せを、前記試験を行わせるために出力するユーザインタフェース手段と、該ユーザインタフェース手段から出力された前記選択された組合せに該当する各アイコンの情報を基に、当該被試験通信機器について、前記通信方式上で前記サービスを擬似的に実施させて試験する測定制御手段とを備えた。
【００２４】
上記課題を解決するため、請求項１０に記載の発明は、通信方式に応じた通信網上で被試験通信機器に提供されるサービスの試験を擬似的に行う通信試験方法であって、
前記被試験通信機器を示す少なくとも１つのアイコンを有する端末アイコン群と、前記通信方式の種類を示す少なくとも１つのアイコンを有するシステムアイコン群と、前記サービスの種類を示す少なくとも１つのアイコンを有するサービスアイコン群とを生成して表示部に表示する生成表示段階と、
前記被試験通信機器の種類、通信方式の種類及びサービスの種類の組合せによって試験可能な組合せに相当する前記各アイコン群のいずれかのアイコンを結線して表示し、かつ該アイコン又は該結線のいずれかを選択可能に前記表示部に表示する選択表示段階と、
操作部により該アイコン又は該結線のいずれかが選択されることによってアイコンの組合せが選択された場合、選択されたアイコンの組合せに該当する各アイコンを基に、当該被試験通信機器について、当該通信方式上で当該サービスを擬似的に実施させて試験する測定制御段階とを有する。
【００２５】
上記課題を解決するため、請求項１１に記載の発明は、請求項１０に記載の発明において、前記試験を行うために、複数種類の被試験通信機器の情報要素、複数種類の前記通信方式に応じたハードウェアを含む機能要素及び複数の前記サービスを提供するための情報要素の、各要素のうち実装された各要素の識別情報を管理する管理段階と、
前記管理段階に実装されている各要素の識別情報を基に、所望の被試験通信機器に対する試験可能な前記各要素の組合せを決定する試験環境決定段階と、を含み、
前記生成表示段階は、前記管理段階で実装されている各要素の識別情報を基に、前記被試験通信機器の種類に応じた端末アイコン群と、前記通信方式の種類に対応したシステムアイコン群と、前記サービスの種類を示すサービスアイコン群とを生成して表示部に表示し、
前記選択表示段階は、前記試験環境決定段階で決定された試験可能な各要素の組合せに対応する各アイコン群のいずれかのアイコンを結線して表示し、かつ該アイコン又は結線のいずれかを選択可能に前記表示部に表示する構成とした。
【発明の効果】
【００２６】
請求項１又は１０に記載の発明によれば、アイコンとその結線からして試験できるサービスがマップ状に視認できること、また、結線表示されているアイコンの中から、例えば、試験目的とする被試験通信機器とサービスの各アイコンを選択すれば試験が可能となり、設定が容易である。
【００２７】
請求項２，３、４、５、９又は１１に記載の発明によれば、各装置に実装されているハードウェアリソースやソフトウェアリソースを通信試験装置が認識して、上記のようにリソースに関連したアイコンを結線されることによって、試験可能なサービスが一覧できるので、ユーザ自身は、リソースについては認識することなく試験が可能であり、特に、数の多いシナリオを選択する必要も、認識することもなく試験できる。さらには、それらに対する深い知識が無くとも試験できる。
【００２８】
請求項６に記載の発明によれば、試験するために被試験通信機器や各リソースに応じてパラメータ（例えば、パラメータとしては、ＲＦインタフェースに対する周波数、レベル）を設定する必要があるが、これを自動で決定し、設定して、試験を開始することができる。
【００２９】
請求項７に記載の発明によれば、表示画面中のアイコンを選択する（例えば、マウスを右クリックして選択）と、そのアイコンに関連して設定すべきパラメータの項目、入力欄が表示されるので、ユーザはその画面上で容易にパラメータの入力ができ、請求項６に係るパラメータの自動設定に代わって所望のパラメータを入力すること、或いはパラメータが自動設定された後に、そのパラメータを更新することが、容易に行える。
【００３０】
請求項８に記載の発明によれば、試験の対象に係る端末アイコンとサービスアイコン（表示画面中のアイコン配列としては、前者が始点、後者が終点）を選択するだけで、使用するリソースを自動で決定する（つまり、表示画面上は、端末アイコンとサービスアイコン間の各アイコン、結線を決定する。）ので、より操作が容易になる。
【発明を実施するための最良の形態】
【００３１】
本発明の実施形態を図１〜図６を用いて説明する。図１は、本発明の実施形態の構成を示す機能ブロック図である。図２及び図３は、表示画面の例を示す図である。図４〜図６は図１の構成による動作フローを説明するための図である。
【００３２】
図１を基に、先ずリソースの構成から説明する。図１において、ハードウェア要素としては、この例では、通信ＲＦ信号ユニットＡ１２１ａ及びユニットＢ１２１ｂ（以下、代表として符号を付すことなく「ＲＦユニット」ということがある。）と、データ処理ユニットＸ１２１ｃ及びユニットＹ１２１ｄ（以下、代表して符号を付すことなく「処理ユニット」と言うことがある。）とがユニット格納部１２１に脱着可能に格納されている。ユニット格納部１２１に格納されるのは、この例に限らず、より少ない又は多いユニットが脱着可能にされている構成であってもよい。
【００３３】
ＲＦユニットは、被試験通信機器が接続される端子を有し、処理ユニットから変調用信号（ベースバンド領域或いは中間周波数帯の信号）を受けて所定の搬送波周波数及びレベルに変換して被試験通信機器へ出力するとともに、被試験通信機器から受信した信号（搬送波帯の高周波）を低周波信号に変換して出力する。
【００３４】
後記するＲＦアイコン、例えば、図２における、「ＲＦ  ＡＵＸ１」「ＲＦ  ＡＵＸ２」「ＲＦ  ＭＩＸ」は、このＲＦユニットが有する被試験通信機器との接続部分を代表して表すものである。このうち、表示画面上のＲＦアイコン「ＲＦ  ＡＵＸ１」及び「ＲＦ  ＡＵＸ２」のそれぞれには、１つの端末（被試験通信機器）アイコンが結線が可能にされている。装置の実装上も、ＲＦアイコン「ＲＦ  ＡＵＸ１」及び「ＲＦ  ＡＵＸ２」のそれぞれに対応するコネクタ（或いはコネクタを含むインタフェース）に被試験通信機器が接続可能にされている。また、ＲＦアイコン「ＲＦ  ＭＩＸ」に対応して、複数の通信方式が異なった信号を混合して取り出し、或いは出力することができる構成にされており、１つのＲＦユニットに複数の処理ユニットを接続することも可能にされている。したがって、表示画面上のＲＦアイコン「ＲＦ  ＭＩＸ」には、１つ又は複数の端末アイコンが結線表示されることがある。また、例えば、マルチホン（ＧＳＭ／Ｗ−ＣＤＭＡ）機能の被試験通信機器を試験する場合は、１つのＲＦユニットに２つの処理ユニット（ＧＳＭとＷ−ＣＤＭＡの処理）を接続するように、後記する経路切替手段１２２が試験制御手段１３１によって経路１３３ｂ３の情報に従って制御される。
【００３５】
処理ユニットは、伝送したい所望のデータを通信方式に応じて生成して変調用信号としてＲＦユニットへ送るとともに、ＲＦユニットから受けた低周波信号を通信方式に応じて復調・解析する。解析の結果が試験の結果となる。通信及び試験に必要なシナリオは、これらのデータの処理を決定する要素でもある。後記するシステムアイコンは主としてこの処理ユニットを代表したものであるが、同時に内容的にはシナリオで定義される動作も含めて処理ユニットを代表する形になる。
【００３６】
通信ＲＦ信号ユニットＡ１２１ａ及びユニットＢ１２１ｂは、必ずしも通信方式毎に区別されているわけではない。複数の通信方式でも１つのユニットで共用できる場合がある。そのような共用で済む場合は、固定的なもので良い場合がある。データ処理ユニットＸ１２１ｃ及びユニットＹ１２１ｄも複数の通信方式でも１つのユニットで共用できる場合がある。
【００３７】
経路切替手段１２２は、測定制御手段１３０からの経路情報１３３ｂ４に応じた制御信号によって、ユニット格納部１２１に実装された少なくとも１つの実装されたＲＦユニットと、やはり実装された少なくとも１つの処理ユニットを切り替えて、試験する試験項目（内容）に対応して組み合わせて接続することによって、経路を形成する。
【００３８】
実装ユニット管理部１２３は、実際に実装された各ＲＦユニット及び処理ユニット（以下、区別して説明する必要がない場合には、「ユニット」と言う。）から識別情報を受ける（或いは識別情報を検索する。）とともに、実装位置（格納位置）を検知して、識別情報及び実装位置を管理して、後記する試験環境決定手段１４０及びユーザインタフェース手段１００のアイコン生成部１０３ｅに通知する。
【００３９】
次に、図１を基に、ソフトウェア要素について説明する。図１において、ソフトウェア要素としては、通信情報記憶手段１３３ｂに記憶されている情報がある。つまり、ユニットを制御するための各種のシナリオ１３３ｂ１、提供可能な各種のサービスを提供するためのサービス情報１３３ｂ２、経路切替手段１２２を制御する経路情報１３３ｂ３が含まれ、これらが実装情報管理部１３３ａによって管理されている。
【００４０】
なお、情報管理手段１３３における、パラメータ１３３ｂ４は、各ＲＦユニット、処理ユニット、及びサービスのシナリオ１３３ｂ１に設定されるものであって、ユーザインタフェース手段１００によって入力された値である。被試験通信機器情報１３３ｂ５も、同様にユーザインタフェース手段１００によって入力された、被試験通信機器の識別情報（機種名或いは形名）等を含む情報と、入力されていないときも通信試験装置として動作が可能なように被試験通信機器の機種名をデフォルト情報として予め記憶されている。
【００４１】
シナリオ１３３ｂ１は、通信の手順、試験の手順又は動作の手順を定義する情報であって、主として試験制御手段１３１で実行し、処理ユニットが制御される。シナリオ１３３ｂ１は、内容が被試験通信機器、試験対象のサービス、及び通信方法等によって異なり、複数実装可能（記憶可能）にされている。経路情報１３３ｂ３は、経路切替手段１２２を制御する情報であって、試験項目によって、ＲＦユニットと処理ユニットを組あわせるための制御情報である。サービス情報は、提供されるサービスを被試験通信機器に提供するサービス特有の情報である。
【００４２】
シナリオ１３３ｂ１、サービス情報１３３ｂ２、経路情報１３３ｂ３は、決定された試験環境毎に読み出し可能に記憶され、かつ実装情報管理部１３３ａによって識別されて管理される。実装情報管理部１３３ａは、実装されたシナリオ１３３ｂ１、サービス情報１３３ｂ２、経路情報１３３ｂ３を確認し、確認した各情報の識別情報を後記する試験環境決定手段１４０へ送る。なお、シナリオ１３３ｂ１、サービス情報１３３ｂ２、経路情報１３３ｂ３を外部から差し替え可能に実装する場合は、外部メモリ（フロイッピーディスク、光ディスク等）の装着、或いはネットワークにによるダウンロード等によって行うことができる。
【００４３】
試験環境記憶手段１５０は、ユニット管理手段１２０及び情報管理手段１３３が管理管理可能な範囲において、かつ試験が予想される被試験通信機器の識別情報と、その被試験通信機器に提供されるサービス情報１３３ｂ２、そのサービスの提供に必要なユニット、シナリオ１３３ｂ１、経路情報１３３ｂ３の各情報（いわゆる、ハードウェア要素及びソフトウェア要素）を対応付けて、参照可能なデータベースとして記憶する。つまり、少なくとも被試験通信機器の種類に対応して、ＲＦユニットの種類、処理ユニットの種類、サービスの種類、シナリオ１３３ｂ１の種類が記憶されているので、このデータベースを参照すれば、被試験通信機器（アプリケーションを含む）の試験可能な項目が分かる。処理ユニット及びシナリオ１３３ｂ１は、上記したように通信方式において密接な関係であり、この二つの組合せを被試験通信機器の種類に対応して先に作っておいてもよい。
【００４４】
試験環境決定手段１４０は、測定開始の時点で、被試験通信機器の名称（機種名）を受けて、かつ、実装ユニット管理部１２３及び実装情報管理部１３３ａから、それぞれユニット格納部１２１に実装されているユニット、通信記情報憶部１３３ｂに実装（記憶）されているシナリオ１３３ｂ１、経路情報１３３ｂ３、サービス情報１３３ｂ２及び被試験通信機器情報１３３ｂ５（入力されていない場合はデフォルト情報）の各識別情報を受けて、試験環境記憶手段１５０に記憶されているデータベースを参照、照合し、試験を実施可能な、被試験通信機器の種類、ＲＦユニットの種類、処理ユニットの種類、シナリオ１３３ｂ１の種類、サービス情報１３３ｂ２の種類の組合せを決定する。決定した組合せを、ここでは、実施可能試験項目とする。試験環境定手段１４０は、決定した実施可能試験項目における被試験通信機器の種類、ＲＦユニットの種類、サービス情報１３３ｂ２、処理ユニット及びシナリオ１３３ｂ１の種類の組合せをユーザインタフェース手段１００へ送付する。ただし、処理ユニットの種類及びシナリオ１３３ｂ１の種類の組合わせを「システムの種類」としてまとめて送る。
【００４５】
以下の説明においては、シナリオ、経路情報、サービス情報、パラメータ、被試験通信機器情報の符号を省略する。
【００４６】
ユーザインタフェース手段１００は、操作部１０１、表示部１０２及びインタフェース制御手段１０３からなり、いわゆるＧＵＩとして構成されている。インタフェース制御手段１０３は、各種表示フォーマット記憶部１０３ａに、表示する各種の表示フォーマット或いは表示する画面情報（画像データ）を有している。また、インタフェース制御手段１０３は、表示した画面情報にユーザが操作部１０１でアクセスした箇所を示すマーカの生成・移動、マーカを設定した位置で操作部１０１の決定キーを押す（マウス等によるクリックする）ことによりその位置の情報の選択又は決定等の動作を行うために、各キーと表示との連携動作を管理、制御する（不図示）。
【００４７】
さらに、ユーザインタフェース制御手段１０３の各部を説明する。アイコン生成部１０３ｅは、図２に示すような被試験通信機器の種類を表す少なくとも１つの端末アイコンからなる端末アイコン群、ＲＦインタフェースの種類を表す少なくとも１つのＲＦアイコンからなるＲＦアイコン群、システムの種類（処理ユニット及びシナリオの組合せ）を表す少なくとも１つのシステムアイコンからなるシステムアイコン群のアイコンデータを予め有して、試験環境設定手段１４０から送付された実施可能試験項目における被試験通信機器の種類、ＲＦユニットの種類、システムの種類、サービスの種類に対応する各アイコンを選択して、端末アイコン、ＲＦアイコン、システムアイコン、及びサービスアイコンの順に表示部１０２の表示画面に向かって左から順に表示する。（図２を参照）。なお、アイコン生成部１０３ｅは、試験環境決定手段１４０から送付を受ける前に、実装ユニット管理部１２３及び実装情報管理部１３３ａが、実装を認識した時点で、各識別情報を受けて、対応するアイコンを表示してもよい。なお、ＲＦアイコンをシステムアイコンの一部として包含させて表示しても良く、その場合は、端末アイコンとシステムアイコンが結線される表示となる。
【００４８】
図２で、ＲＦアイコンは、被試験通信機器に接続するための端子を模した画像と略称で示している。システムアイコンは、上記したように通信方式（システム）に関与するので、通信方式の名称を記入して表示している。サービスアイコンには、サービスの名称、或いはその略称を記入して表示している。図２のサービスアイコンの例で、「外部サーバのサービス」は、外部のサーバと接続された環境において、被試験通信機器のアプリケーションで実行されるサービスを示している。「ｉモード」、「Ｗａｐサーバ」は、インターネット上の又は擬似環境の特定サーバと接続するサービスを言う。
【００４９】
結線部１０３ｄは、試験環境決定手段１４０が決定した実施可能試験項目の組合せ毎に、その組合せに対応するアイコン群の各アイコンを点線（視認できる線であればよい。）で結ぶ。複数の組合せがあれば、それらを全部結線して、図２のように表示する。また、結線部１０３ｄは、操作部１０１によって、ユーザが実施を意図するために結線又はアイコンを選択（クリック）したときは、選択された結線又は選択されたアイコン間の結線を実線で結んで表示する（図２を参照）。実線は、点線での結線に対して、区別するためであり、区別できれば、色、形を変えて色々な線が利用できる。
【００５０】
実施環境決定部１０３ｃは、上記のように点線で結線された各アイコン又はその結線をユーザが選択して、実線で結ばれたアイコンを実施決定要素として、決定した実施可能試験項目における被試験通信機器の種類、ＲＦユニットの種類、サービス情報、システム（処理ユニット及びシナリオの組合せ）の各種類の組合せを試験制御手段１３１へ送付して実行させる。図２の実線で結ばれているように、選択された要素が同時に複数の処理が可能である場合（図２は、「外部サーバのサービス」の例）、２つの実線ルートを選択可能である。また、選択された要素が、同時に複数の処理ができない場合であっても、先に選択されたルートに対応する試験を優先し、後に選択されたルートに対応する試験を次に行うよう試験制御手段１３１へ指示することもできる。なお、実施環境決定部１０３の動作・機能は、試験制御手段１３１で行ってもよい。
【００５１】
入力設定部１０３ｂは、ユーザが各アイコンをダブルクリック（マウスによる右クリック等、他の方法でもよい。）すると（つまり選択すると）、その操作（パラメータの設定画面の請求）を受けて、そのアイコンが代表する内部のリソースに対してパラメータを設定するためのパラメータ設定画面を開く（パラメータ設定画面が開く前の図２の画面を認識できるように残して、その上に重ねてポップアップメニュー形式で表示する。図３を参照。）。図３において、例えば、ＲＦアイコンについては、ＲＦユニットに設定する周波数、レベルが設定できる画面を表示する。同様に、システムアイコンやサービスアイコンについても、ダブルクリックを契機として、それぞれ処理ユニット、或いはシナリオに設定すべきパラメータを入力できるように表示する。入力設定部１０３ｂは、パラメータ設定画面で操作部１０１で入力された各パラメータを受けて、試験制御手段１３１へ送付して、試験制御手段１３１に制御させる。
【００５２】
試験制御手段１３１は、試験環境決定手段１４０が決定した実施可能試験項目の内、前記実施環境決定部１０３ｃにおいて操作部１０１で選択された（実線で結線された）アイコンに対応し、選択された被試験通信機器に対して、選択されたシナリオ、経路情報を情報管理手段１３３から取得して、選択されたＲＦユニット、選択された処理ユニットを制御して、選択されたサービスの試験（選択されたサービスを提供するアプリケーションの試験）を行う。そのとき、入力設定部１０３ｂから受けたパラメータを用いて制御する。
【００５３】
また、上記ユーザインターフェース手段と測定制御手段１３０との関係において、さらに次のような実施も可能である。
（１）パラメータの自動設定
パラメータは、上記したように、被試験通信機器毎に固有に設定される可能性が高い。例えば、被試験通信機器に割り当てられた周波数などである。したがって、予め、被試験通信機器毎に、変数として被試験通信機器の識別情報に対応付けて、各パラメータをパラメータ１３３ｂ４に記憶しておくなり、被試験通信機器情報１００ｂ５に記憶しておくなり、或いは、それらと対応して別な箇所に記憶しておくなりして、被試験通信機器の識別情報が入力された時点で、試験制御手段１３１が、予め上記のように記憶しておいたパラメータを抽出して設定することにより、自動設定して、試験を開始することができる。なお、自動設定したあと、ユーザが図３の設定画面を開いて、操作部１０１を操作して入力してパラメータを更新してもよい。
【００５４】
（２）試験を実施すべきリソースの一部を自動決定
図２に示される端末アイコン（群）及びサービスアイコン（群）は、いわば試験の対象と関係するものであり（ただし、それに限らない。サービスアイコンはリソースのシナリオにも関係する。）、ＲＦアイコン（群）及びシステムアイコン（群）がリソースに関係しているもの（同様に、それに限らない）である。そのことに着眼して、ユーザインタフェース手段１００の操作部１０１によって、表示された図２のアイコンの流れの左（開始点）の端末アイコンと右端（終点）のサービスアイコンを特定して選択された場合、試験制御手段１３１が実施環境選択部１０３ｃを介して受けた、上記選択された端末アイコン及びサービスアイコンから所定のルールに沿って、使用する内部のリソースと結線を決定し、決定されたリソースと結線の情報を実施環境選択部１０３ｃを通して表示に反映させて（つまり、図２の表示画面上では、ＲＦアイコンとシステムアイコンを決定して結線）、試験を行うようにしてもよい。上記所定のルールとは、当初、試験環境決定手段１４０によって実施可能アイコンの組合せが決まっており、例えば、図２の点線及び実線で結線されているアイコンは、全て実施可能なので、この中から、結線が多くなされているアイコンであって、かつ図２上で上位に在るアイコンを選定するというルールでもよい。ただし、ＲＦアイコンは、接続関係から決定される。例えば、図２で端末アイコン２とサービスアイコン１１「メール」が特定して選択された場合、試験環境決定手段１４０は（又は試験制御手段１３１）、ＲＦアイコン４「ＲＦ  ＡＵＸ２」、システムアイコン７「ＧＳＭ」を決定して、結線し、試験する。
【００５５】
上記構成の中で、インタフェース制御手段１０３、試験環境決定手段１４０、試験制御手段１３１、実装ユニット管理手段１２３及び情報管理手段１３３は、ＣＰＵとそのＣＰＵに上記の機能させるためのプログラムを記憶するＲＯＭ、ＲＡＭ等で構成できる。
【００５６】
次に一連の動作を図４と図５、及び図４と図６に基づいて動作フローに基づいて説明する。図４は、リソースに基づいて試験できるアイコンを表示するところまでのステップであり、図５と図６は、その後の処理ステップが異なる例である。ただし、この例では、上記（１）（２）の自動設定については、行っていない。
図４を基に説明する。
【００５７】
ステップＳ２０１：パワースイッチをオンにして通信試験装置を立ち上げる。
ステップＳ２０２：実装ユニット管理部１２３及び実装情報管理部１３３ａが、それぞれ実装されているＲＦ、データ処理部の各ユニット、及び実装（記憶）されているシナリオ、経路情報の各情報の識別情報を認識する。
【００５８】
ステップＳ２０３：この時点で、被試験通信機器の情報が入力されていないので、通信情報管理手段１３３ｂの被試験通信機器情報にあるデフォルト情報を用いて端末アイコンを表示する。
【００５９】
ステップ２０４：ステップ２０２で識別情報が認識できた通信ＲＦユニットに対応するＲＦアイコン、データ処理ユニットに対応するシステムアイコン、サービス情報に対応するサービスアイコンを順に並べて表示する。
【００６０】
ステップＳ２０５〜Ｓ２０８：端末アイコンと、実際にケーブルで被試験通信機器を接続した（又は接続する）ＲＦユニットに対応するＲＦアイコンを選択する（Ｓ２０５）。ＲＦアイコンは、被試験通信機器を接続するコネクタが配列されているパネル面と同様に表示しているので、ユーザは物理的に認識しているので、ＲＦアイコンの選択は容易である。端末アイコンをダブルクリックして選択（Ｓ２０６）。端末情報設定画面が表示される（Ｓ２０７）ので、端末情報を入力する（Ｓ２０８）。この時点で、実装情報管理部１３３ａによって、ステップＳ２０３のデフォルト情報から所望の被試験通信機器に被通信機器情報を書き換える。
【００６１】
ステップＳ２０５〜Ｓ２０８は、この段階で設定する必要はなく、各段階と前後してもよい。つまり、何の情報が入力され、変更されたかを常時、実装情報管理部１３３ａが監視してデータを入れ替え、その情報を試験環境決定手段１４０やアイコン生成部１０３ｅに通知しているので、都度、最新の情報に基づいてアイコンが表示（更新表示）される。
【００６２】
ステップＳ２０９：試験環境定手段１４０は、実装ユニット管理手段１２３及び実装情報管理部１３３ａから、それぞれ実装されているユニット、シナリオ、経路情報、及び被試験通信機器の各識別情報を受けて、試験環境記憶手段１５０に記憶されているデータベースを参照して、試験を実施可能な、被試験通信機器の種類、ＲＦユニットの種類、処理ユニットの種類、シナリオの種類、サービス情報の種類の組合せを決定し、ユーザインタフェース手段１００へ送付する。
【００６３】
ステップＳ２１０：結線部１０３ｄは、試験環境決定手段１４０が決定した実施可能試験項目の組合せ毎に、その組合せに対応するアイコン群の各アイコンを点線で結ぶ。
【００６４】
次に図５を基に説明する。
ステップＳ２２０〜Ｓ２２４：ユーザが操作部１０１により、点線で結線された各アイコン又はその結線をユーザが選択する（Ｓ２２０）と、そのユーザが選択したアイコン間の結線又は選択した結線が実線で表示される（Ｓ２２１）。ユーザが各アイコンをダブルクリックする（Ｓ２２２）と、パラメータの設定画面が開く（Ｓ２２３）ので、パラメータを入力設定する（Ｓ２２４）。
【００６５】
ステップＳ２２５：ステップＳ２２０〜ステップＳ２２４を各アイコンについて行い、必要なパラメータを設定し、確定する（図３の「接続」をクリックする。）。
ステップＳ２２６：試験制御手段１３１が、選択されたアイコンに沿って、試験を実行する。
【００６６】
次の図６を基に説明する。この場合は、図４におけるステップＳ２１０で結線表示がなされていないものとする。
ステップＳ２３０〜Ｓ２３２：ユーザが操作部１０１により、端末アイコンをダブルクリックして選択（Ｓ２３０）すると、パラメータの設定画面が開く（Ｓ２３１）ので、端末パラメータを入力設定する（Ｓ２３２）。
【００６７】
ステップＳ２３２〜Ｓ２３７：ユーザが操作部１０１により、ユーザが被試験通信機器を接続しているＲＦユニットに対応するＲＦアイコンをクリックして選択（Ｓ２３３）すると、端末アイコンと選択したＲＦアイコン間が実線表示され、実施可能なシステムアイコンとの間が点線で点滅表示される（Ｓ２３４）。ＲＦアイコンをダブルクリックする（Ｓ２３５）と、パラメータの設定画面が開く（Ｓ２３６）ので、ＲＦパラメータを入力設定する（Ｓ２３７）。ステップ２２３でダブルクリックすると、ステップＳ２３４とＳ２３５の画面表示が同時にされるようにしても良い（この場合、ステップＳ２３５の操作は不要となる。）。
【００６８】
ステップＳ２３８〜Ｓ２４２：ステップＳ２３３〜Ｓ２３７と同様の操作及び動作をシステムアイコンについて行う。
【００６９】
ステップＳ２４３〜Ｓ２４５：ステップＳ２３３〜Ｓ２３７と同様の操作及び動作を行うが、次に選定するアイコンがないので、サービスパラメータの設定画面を開いて設定するだけになる。
【００７０】
ステップＳ２４６〜Ｓ２４７：接続を確定して（Ｓ２４６）、試験を実行する（Ｓ２４７）。
【００７１】
図５、図６の説明において、各アイコンに対してパラメータを設定するように記述したが、変更の必要がなければ該当するステップを実施しなくても良い。
【００７２】
上記のように、本発明によれば、各種のサービスを試験するにあたって、必要なリソース（ハード、ソフトの各要素）を意識しなくとも、被試験通信機器、それを接続する端子（ＲＦユニット）、通信方式、サービスの種類の組合せマップから試験可能な組合せを選択して設定できる。
【図面の簡単な説明】
【００７３】
【図１】本発明の実施形態の構成を示す機能ブロック図である。
【図２】図１の構成におけるユーザインタフェース手段による表示例を示す図である。
【図３】図１の構成におけるユーザインタフェース手段による表示例を示す図である。
【図４】図１の構成における動作フローを説明する図である。
【図５】図１の構成における動作フローであって、図４に続く動作フローを説明する図である。
【図６】図１の構成における動作フローであって、図４に続く他の動作フローを説明する図である。
【符号の説明】
【００７４】
１００  ユーザインタフェース手段、  １２０  ユニット管理手段、
１２２  経路切替手段、  １３０  測定制御手段、  １３１  試験制御手段
１３３  情報管理手段、  １４０  試験環境決定手段、  １５０  試験環境記憶手段
【図１】
2005348219.tif 000003
【図２】
2005348219.tif 000004
【図３】
2005348219.tif 000005
【図４】
2005348219.tif 000006
【図５】
2005348219.tif 000007
【図６】
2005348219.tif 000008